(57)【要約】【課題】市販の直管型ＬＥＤランプでもＬＥＤの向きを変えて光の方向を変更することができるようにする。【解決手段】内周面に断面円弧形の凹部４を連続的に設けた内部ケース３内にソケット取付け板７を配置して、このソケット取付け板７に設けた円弧形の長孔８により形成される弾性部９に設けた凸部１０を前記凹部４に嵌合させると共に、ソケット取付け板７の表面にソケット１３を固定した構成として、端子をソケット１３の端子挿入穴１４に挿入した直管型ＬＥＤランプを軸周り方向に回転させるとソケット取付け板７が回転して凸部１０が凹部４を移動し、直管型ＬＥＤランプの回転を止めたところで凸部１０が該当位置の凹部４に嵌合して、直管型ＬＥＤランプを回転した位置に保持するようにした。【選択図】図１
2012043595.tif 000002
【特許請求の範囲】
【請求項１】
円筒形のケース内に設けられかつ円周方向に所定の範囲にわたって連続的に形成した断面円弧形の凹部と、外周面に凸部を有しかつ該凸部を前記凹部に嵌合させて前記ケース内に回転可能に配置された円板状のソケット取付け板と、このソケット取付け板に取付けられたソケットとを備え、
直管型ＬＥＤランプの端子を前記ソケットの端子挿入穴に挿入し、その直管型ＬＥＤランプを軸周り方向に回転させると前記ソケット取付け板が回転すると共に前記凸部が回転方向に凹部を移動してゆき、前記直管型ＬＥＤランプの回転を止めたところで前記凸部が該当位置の凹部に嵌合して、前記直管型ＬＥＤランプを回転した位置に保持することを特徴とする直管型ＬＥＤランプ用ホルダ。
【請求項２】
請求項１記載の直管型ＬＥＤランプ用ホルダにおいて、
前記円筒形のケースは、外部ケースと、該外部ケース内に配置される内部ケースから成り、該内部ケースの内周面に前記断面円弧形の凹部が円周方向に所定の範囲にわたって連続的に形成し、
前記ソケット取付け板には、外周に沿って円弧形の長孔を設けることにより弾性部を形成して、該弾性部に前記凸部を設けたことを特徴とする直管型ＬＥＤランプ用ホルダ。
【請求項３】
請求項２記載の直管型ＬＥＤランプ用ホルダにおいて、
前記内部ケース正面の開口面には内側に向かって張出すようにフランジ部を形成し、
前記ソケット取付け板の背面と内部ケースの閉止面との間には、前記ソケット取付け板を前記フランジ部に押付けるように付勢するコイルスプリングを設けたことを特徴とする直管型ＬＥＤランプ用ホルダ。
【請求項４】
請求項１記載の直管型ＬＥＤランプ用ホルダにおいて、
弾性を有する半円形板の内周面に前記断面円弧形の凹部を円周方向に所定の範囲にわたって連続的に形成した弾性部品を前記円筒形のケース内に設けたことを特徴とする直管型ＬＥＤランプ用ホルダ。
【発明の詳細な説明】
【技術分野】
【０００１】
本発明は、直管型ＬＥＤランプを電源供給のソケットを介して支持する直管型ＬＥＤランプ用ホルダに関する。
【背景技術】
【０００２】
低消費電力の照明用ランプとして、長尺状の矩形基板の表面に光源であるＬＥＤを多数並べて搭載したＬＥＤ搭載基板を透明（または半透明）の円筒形の収納管内に収納し、ＬＥＤ搭載基板と電気的に接続した２本のピン状の端子を保持した端子保持部材（口金）を収納管の両端部に固定した直管型ＬＥＤランプが実用化され、家庭やオフィスあるいは商業施設等で使用されてきている。
【０００３】
このような直管型ＬＥＤランプにおいて、各々の端子保持部材に保持された端子は、従来から使用されている直管型蛍光灯の端子と同一規格であるので、その端子を直管型蛍光灯用のソケットの端子挿入穴に挿入することで直管型蛍光灯と同様に使用することができるが、ＬＥＤの光は指向性を有し、その光の照射範囲は約１２０度であるので、天井等に取付けられるソケットの取付け位置によっては、所望の場所に光を照射できないという不都合や、例えば、２本の直管型ＬＥＤランプを比較的狭い間隔で平行に配置した場合、２本の直管型ＬＥＤランプの照射光の照射範囲が重複して、均等な照明ができなくなるという不都合が生じることになる。
【０００４】
そこで、このような不都合を解消するため、例えば、特許文献１に示される直管型ＬＥＤランプが提案されている。
【０００５】
この特許文献１に示される直管型ＬＥＤランプでは、ＬＥＤ搭載基板を収納した円筒形の収納管の両端部にＬＥＤ搭載基板と電気的に接続した円弧形の接点を有する閉止部を設けると共に、Ｖ字形状の屈曲部を有する板ばねを閉止部に固着された複数のピンで支持する。また、２本のピン状の端子を保持した端子保持部材（口金）の内面に、外周に複数のＶ字形状の凹部を有する係合部を設け、この端子保持部材を収納管の両端部に相互に回転し得るように取付けて、それぞれの端子を前記閉止部の接点に摺動可能に接触させると共に、板ばね屈曲部を係合部の凹部の１つと係合させた構成としている。
【０００６】
このような構成とした管型ＬＥＤランプは、端子をソケットの端子挿入穴に挿入した状態で、端子保持部材に対して収納管を回転させることにより、板ばね屈曲部を係合部の凹部から外して別の凹部に係合させることでＬＥＤの向きを変え、光の方向を変更させることができる。
【先行技術文献】
【特許文献】
【０００７】
【特許文献１】特開２００９−４３４４７号公報
【発明の概要】
【発明が解決しようとする課題】
【０００８】
しかしながら、上述した従来の技術においては、ＬＥＤ搭載基板を収納した収納管と、その両端部に設けられる端子を保持した端子保持部材とを、相互に回転できるように収納管の端部に端子保持部材を取付ける必要があり、しかも収納管の両端部にＬＥＤ搭載基板と電気的に接続した円弧形の接点を有する閉止部を設けたり、Ｖ字形状の屈曲部を有する板ばねを取付けたり、更には端子保持部材の内面に複数の凹部を有する係合部を設けたりしなければならない等、直管型ＬＥＤランプそのものの構造を変える必要があるため、市販の直管型ＬＥＤランプに適用することは困難であり、例え可能であっても非常にコストがかかって、高価になるというるという問題がある。
【０００９】
本発明は、このような問題を解決することが可能な直管型ＬＥＤランプ用ホルダを実現することを課題とする。
【課題を解決するための手段】
【００１０】
そのため、本発明の直管型ＬＥＤランプ用ホルダは、円筒形のケース内に設けられかつ円周方向に所定の範囲にわたって連続的に設けられた断面円弧形の凹部と、外周面に凸部を有しかつ該凸部を前記凹部に嵌合させて前記ケース内に回転可能に配置された円板状のソケット取付け板と、このソケット取付け板に取付けられたソケットとを備え、直管型ＬＥＤランプの端子を前記ソケットの端子挿入穴に挿入し、その直管型ＬＥＤランプを軸周り方向に回転させると前記ソケット取付け板が回転すると共に前記凸部が回転方向に凹部を移動してゆき、前記直管型ＬＥＤランプの回転を止めたところで前記凸部が該当位置の凹部に嵌合して、前記直管型ＬＥＤランプを回転した位置に保持することを特徴とする。
【発明の効果】
【００１１】
このようにした本発明は、ＬＥＤ搭載基板を収納した収納管とピン状の端子を保持した端子保持部材が相互に回転できない構造の市販の直管型ＬＥＤランプでもＬＥＤの向きを変えて光の方向を変更することができるという効果が得られると共に、凸部と嵌合する凹部は内部ケースの内周面に所定の範囲にわたって連続的に設けられているため、ＬＥＤの向きをほぼ無段階に変えることができるという効果も得られ、またソケットも市販のものを利用できる利点がある他、直管型ＬＥＤランプのＬＥＤの向きの変更を安価に実現できるものとなる。
【図面の簡単な説明】
【００１２】
【図１】第１の実施例を示す正面断面図
【図２】ソケットを取付けたソケット取付け板の斜視図
【図３】全体を二分割して左右に開いた状態を示す斜視図
【図４】ケースの半分を除去した状態を示す斜視図
【図５】直管型ＬＥＤランプを保持した状態を示す斜視図
【図６】弾性部品の例を示す斜視図
【発明を実施するための形態】
【００１３】
以下、図面を参照して本発明による直管型ＬＥＤランプ用ホルダの実施例を説明する。
【実施例１】
【００１４】
図１は第１の実施例を示す正面断面図、図２はソケットを取付けたソケット取付け板の斜視図、図３は全体を二分割して左右に開いた状態を示す斜視図、図４はケースの半分を除去した状態を示す斜視図、図５は直管型ＬＥＤランプを保持した状態を示す斜視図である。
【００１５】
図において１は円筒の一端を球形曲面状の閉止面で閉止した形状に形成された外部ケース、２はアーム部で、このアーム部２は一端を室内の天井等に固定し、他端に外部ケース１を取付けて支持するようになっている。
【００１６】
３は外部ケース１内に配置固定された内部ケースで、外部ケース１より短い円筒の一端を平らな円板状の閉止面で閉止した形状に形成されている。この内部ケース３の内周面には軸方向に所定の長さを有する断面円弧形の凹部４が円周方向に所定の範囲、例えば９０度乃至１２０度の範囲にわたって連続的に形成され、また開口面には内側に向かって張出すようにフランジ部５が形成されていて、更にアーム部２と反対側の位置には所定の長さを有する溝６が設けられている。
【００１７】
これら外部ケース１、アーム部２、内部ケース３は、プラスチック成型により左右に２分割された形状に制作され、左右のものを接合や嵌着により一体化することで組み立てられている。
【００１８】
７はプラスチック製の円板状のソケット取付け板で、外周に沿って円弧形の長孔８を設けることにより細幅の弾性部９が形成されており、その弾性部９の外周中央部には内部ケース３の凹部４に対応する凸部１０が設けられ、更に背面には所定の径のスプリング装着部１１が形成されている。このソケット取付け板７は内部ケース３内に軸方向へ移動が可能で円周方向に回転できるように収納され、凸部１０が内部ケース３の凹部４に嵌合している。
【００１９】
１２はソケット取付け板７の背面と内部ケース３の閉止面との間に設けられたコイルスプリングで、このコイルスプリング１２は、一端がソケット取付け板７のスプリング装着部１１に嵌め込まれて装着され、他端は内部ケース３の閉止面に当接するように設けられている。このコイルスプリング１２によってソケット取付け板７は付勢され、内部ケース３のフランジ部５に押付けられている。
【００２０】
１３は直管型蛍光灯用として市販されているソケットで、２個の端子挿入穴１４を有しており、このソケット１３はソケット取付け板７の正面にネジ等で固定されている。
【００２１】
１５はプラスチック製の半円筒形の落下防止部材で、後端側の内周面に突起１６を有しており、この落下防止部材１５は突起１６を内部ケース３の溝６に挿入する形で外部ケース１と内部ケース３の間にスライド可能に配置されている。
【００２２】
１７は市販されている直管型ＬＥＤランプで、長尺状の矩形基板１８の表面に光源であるＬＥＤ１９を多数並べて搭載したＬＥＤ搭載基板を透明（または半透明）の円筒形の収納管２０内に収納し、ＬＥＤ搭載基板と電気的に接続した２本のピン状の端子を保持した端子保持部材（口金）を収納管の両端部に固定した構成を有し、収納管と端子保持部材は相互に回転できない構造となっている。
【００２３】
次に、第１の実施例の作用について説明すると、まず上述した構成の直管型ＬＥＤランプ用ホルダを２個互いのソケット１３を対向させて天井等に固定し、それぞれのソケット１３を電源に接続する。この状態で落下防止部材外部ケース１と内部ケース３の間に押込んでおき、そして直管型ＬＥＤランプ１７の両端の端子を対応するソケット１３の端子挿入穴１４に挿入する。このとき、ソケット１３の軸方向に大きな力が加えられた場合、ソケット取付け板７と閉止板の間に設けられているコイルスプリング１２で緩衝され、ソケット１３の損傷等が防止される。
【００２４】
直管型ＬＥＤランプ１７の端子をソケット１３の端子挿入穴１４に挿入すると、これにより直管型蛍光灯と同様に使用することが可能となるが、ＬＥＤ１９の光は指向性を有し、その光の照射範囲は約１２０度であるので、所望の場所に光を照射するために、ＬＥＤの向きを変えたい場合、直管型ＬＥＤランプ１７を軸周り方向に回転させると、その回転力がソケット１３を介してソケット取付け板７に伝達される。
【００２５】
このときソケット取付け板７の弾性部９に設けられている凸部１０が内部ケース３の凹部４の１つに嵌合しているが、ソケット取付け板７に回転力が加わることで凸部１０が弾性部９の弾性により複数の凹部４に対して脱出、嵌合を繰返しながら回転方向に移動してゆき、直管型ＬＥＤランプ１７の回転を止めたところで凸部１０が該当位置の凹部４に嵌合し、これにより直管型ＬＥＤランプ１７を回転した位置に保持するので、直管型ＬＥＤランプ１７のＬＥＤ１９を凹部４が設けられている範囲で所望の方向に向けることができる。
【００２６】
以上説明したように第１の実施例では、外部ケース１内に設けられた円筒状の内部ケース３の内周面に断面円弧形の凹部４を円周方向に所定の範囲にわたって連続的に設け、この内部ケース３内に円形のソケット取付け板７を円周方向に回転可能に配置して、このソケット取付け板７の外周に沿って円弧形の長孔８を設けることにより形成された弾性部９に設けた凸部１０を前記凹部４に嵌合させると共に、ソケット取付け板７の表面にソケット１３を固定した構成としている。
【００２７】
これにより、直管型ＬＥＤランプ１７の端子をソケット１３の端子挿入穴１４に挿入して、その直管型ＬＥＤランプ１７を軸周り方向に回転させるとソケット取付け板７が回転すると共に凸部１０が弾性部９の弾性により複数の凹部４に対して脱出、嵌合を繰返しながら回転方向に移動してゆき、直管型ＬＥＤランプ１７の回転を止めたところで凸部１０が該当位置の凹部４に嵌合し、直管型ＬＥＤランプ１７を回転した位置に保持するので、直管型ＬＥＤランプ１７のＬＥＤ１９を凹部４が設けられている範囲で所望の方向に向けることができる。
【００２８】
そのため、ＬＥＤ搭載基板を収納した収納管とピン状の端子を保持した端子保持部材が相互に回転できない構造の市販の直管型ＬＥＤランプでもＬＥＤの向きを変えて光の方向を変更することができるという効果が得られると共に、凸部と嵌合する凹部は内部ケースの内周面に所定の範囲にわたって連続的に設けられているため、ＬＥＤの向きをほぼ無段階に変えることができるという効果も得られ、またソケットも市販のものを利用できる利点がある他、直管型ＬＥＤランプのＬＥＤの向きの変更を安価に実現できるものとなる。
【００２９】
尚、本発明は上述した第１の実施例に限られるものではない。例えば上述した第１の実施例では、内部ケース３の内周面に断面円弧形の凹部４を円周方向に所定の範囲にわたって連続的に設け、この内部ケース３内に円形のソケット取付け板７を円周方向に回転可能に配置して、このソケット取付け板７の外周に沿って円弧形の長孔８を設けることにより形成された弾性部９に設けた凸部１０を前記凹部４に嵌合させる構成としたが、断面円弧形の凹部４を外部ケース１の円周方向に所定の範囲にわたって連続的に設け、その外部ケース１内に円形のソケット取付け板７を円周方向に回転可能に配置して、このソケット取付け板７の外周に沿って円弧形の長孔８を設けることにより形成された弾性部９に設けた凸部１０を前記凹部４に嵌合させる構成としてもよく、このような構成とすれば、内部ケース３を省略することができる。無論、ホルダとしては第１の実施例と同様の効果が得られる。
【００３０】
また、断面円弧形の凹部４を設ける部分を独立した部品として形成することも可能である。図６は断面円弧形の凹部４を設けた弾性部品の例を示す斜視図で、一端に取付け部２１を設けたプラスチック等の弾性を有する半円形板２２の内周面に断面円弧形の凹部４を円周方向に所定の範囲にわたって連続的に形勢したものとなっている。
【００３１】
このような弾性部品を内部ケース３あるいは外部ケース１内に取付け部２１を介して取り付け、ソケット取付け板７の凸部１０を半円形板２２の凹部４に嵌合させることで、直管型ＬＥＤランプ１７を軸周り方向に回転させてソケット取付け板７が回転させると凸部１０が半円形板２２を弾性的に撓ませながらの複数の凹部４に対して脱出、嵌合を繰返しながら回転方向に移動してゆき、直管型ＬＥＤランプ１７の回転を止めたところで凸部１０が該当位置の凹部４に嵌合し、これにより直管型ＬＥＤランプ１７を回転した位置に保持するので、第１の実施例と同様の効果が得られる。
【００３２】
この場合、凸部１０が半円形板２２を弾性的に撓ませながら回転方向に凹部４を移動するので、ソケット取付け板７には円弧形の長孔８や弾性部９を設ける必要がなく、ソケット取付け板７の構造を簡素化することができる。尚、取付け部２１の形状は図示した矩形に限らず、適当な形状でよい。
【符号の説明】
【００３３】
１    外部ケース
２    アーム部
３    内部ケース
４    凹部
５    フランジ部
６    溝
７    ソケット取付け板
８    長孔
９    弾性部
１０  凸部
１１  スプリング装着部
１２  コイルスプリング
１３  ソケット
１４  端子挿入穴
１５  落下防止部材
１６  突起
１７  直管型ＬＥＤランプ
１８  矩形基板
１９  ＬＥＤ
２０  収納管
２１  取付け部
２２  半円形板
【図１】
2012043595.tif 000003
【図２】
2012043595.tif 000004
【図３】
2012043595.tif 000005
【図４】
2012043595.tif 000006
【図５】
2012043595.tif 000007
【図６】
2012043595.tif 000008